(57)【特許請求の範囲】
【請求項１】
ロータコアと、
前記ロータコアの外周部に対向するように配置されたステータコアと、
前記ロータコアの内部に内周部側から外周部側まで半径方向に延びるように設けられた永久磁石と、
前記ロータコアの内周部に取り付けられる回転軸部とを備え、
前記ロータコアの外周部には、前記永久磁石の外周面の周方向の端部近傍を覆う端部被覆部が設けられており、
前記端部被覆部の内周面と前記永久磁石の外周面との間には、空隙が設けられており、
前記永久磁石は、前記永久磁石の内周面が前記回転軸部の外周面に接するとともに、前記永久磁石の外周面の前記端部被覆部に覆われていない部分が露出するように配置されている、回転電機。
【請求項２】
前記永久磁石は、周方向の幅が前記ロータコアの内周部側から外周部側に向かうにしたがって徐々に大きくなるように形成されている、請求項１に記載の回転電機。
【請求項３】
前記永久磁石は、周方向の幅が前記ロータコアの内周部側から外周部側に向かうにしたがって徐々に大きくなる略矩形形状の断面を有するように形成されている、請求項２に記載の回転電機。
【請求項４】
前記端部被覆部は、周方向に延びるように形成されており、
前記端部被覆部の内周面と前記永久磁石の外周面とが前記端部被覆部の周方向の全長に渡って離間することにより、前記空隙が構成されている、請求項１〜３のいずれか１項に記載の回転電機。
【請求項５】
前記空隙の内部には、非磁性材料が充填されている、請求項１〜４のいずれか１項に記載の回転電機。
【請求項６】
前記非磁性材料は、接着剤層を含む、請求項５に記載の回転電機。
【請求項７】
前記永久磁石は、前記回転電機のｑ軸と交差する方向に着磁されている、請求項１〜６のいずれか１項に記載の回転電機。
【請求項８】
前記永久磁石は、前記ｑ軸と直交する方向に対して所定の角度θだけ傾いた方向に着磁されている、請求項７に記載の回転電機。
【請求項９】
前記所定の角度θは、０°＜θ≦４５°の範囲に設定されている、請求項８に記載の回転電機。
【請求項１０】
前記ロータコアの内周部に取り付けられる回転軸部をさらに備え、
前記ロータコアは、周方向に間隔を隔てて配置される複数のコア部を含むように構成されており、
前記永久磁石は、前記複数のコア部のうちの隣接するコア部の間に、前記永久磁石の内周面が前記回転軸部の外周面に接するように配置されている、請求項１〜９のいずれか１項に記載の回転電機。
【請求項１１】
前記永久磁石は、前記複数のコア部のうちの隣接するコア部の間に、前記永久磁石の内周面が前記回転軸部の外周面に接するとともに、前記永久磁石の外周面の前記端部被覆部に覆われていない部分が露出するように配置されている、請求項１０に記載の回転電機。
【請求項１２】
前記永久磁石は、前記複数のコア部のうちの隣接するコア部の間に、前記コア部を介さずに周方向に２つ隣接するように配置されている、請求項１０または１１に記載の回転電機。
【請求項１３】
前記ロータコアは、軸方向に積層された複数の電磁鋼板からなり、
前記ロータコアの内周部に取り付けられる回転軸部と、
前記回転軸部を取り囲むとともに、前記複数の電磁鋼板からなるロータコアの軸方向の端面を覆うように取り付けられるプレートとをさらに備え、
前記回転軸部の外周部には、第１係合部が形成されており、
前記プレートの内周部には、前記回転軸部の前記第１係合部と係合する第２係合部が形成されている、請求項１〜１２のいずれか１項に記載の回転電機。
【発明の詳細な説明】
【技術分野】
【０００１】
この発明は、回転電機に関し、特に、半径方向に延びる永久磁石を備える回転電機に関する。
【背景技術】
【０００２】
従来、半径方向に延びる永久磁石を備える回転電機が知られている（たとえば、特許文献１参照）。
【０００３】
上記特許文献１には、磁極部材（ロータコア）と、磁極部材の内部に内周部側から外周部側まで半径方向に延びるように設けられたマグネット（永久磁石）とを備える永久磁石式電動機（回転電機）のロータ構造が開示されている。この永久磁石式電動機では、マグネットの外周面の周方向の端部近傍が磁極部材と密着した状態で磁極部材により覆われている。
【先行技術文献】
【特許文献】
【０００４】
【特許文献１】特開平１−１４４３３７号公報
【発明の概要】
【発明が解決しようとする課題】
【０００５】
しかしながら、上記特許文献１に開示された永久磁石式電動機（回転電機）では、マグネット（永久磁石）の外周面の周方向の端部近傍が磁極部材（ロータコア）と密着した状態で磁極部材により覆われているため、マグネットの外周面の周方向の端部近傍が電機子反作用による反磁界の影響を受けて不可逆減磁が発生しやすいという問題点がある。
【０００６】
この発明は、上記のような課題を解決するためになされたものであり、この発明の１つの目的は、永久磁石の外周面の周方向の端部近傍が電機子反作用による反磁界の影響を受けて不可逆減磁が発生するのを抑制することが可能な回転電機を提供することである。
【課題を解決するための手段】
【０００７】
上記目的を達成するために、この発明の一の局面による回転電機は、ロータコアと、ロータコアの外周部に対向するように配置されたステータコアと、ロータコアの内部に内周部側から外周部側まで半径方向に延びるように設けられた永久磁石と、ロータコアの内周部に取り付けられる回転軸部とを備え、ロータコアの外周部には、永久磁石の外周面の周方向の端部近傍を覆う端部被覆部が設けられており、端部被覆部の内周面と永久磁石の外周面との間には、空隙が設けられており、永久磁石は、永久磁石の内周面が回転軸部の外周面に接するとともに、永久磁石の外周面の端部被覆部に覆われていない部分が露出するように配置されている。
【発明の効果】
【０００８】
この発明の一の局面による回転電機では、上記のように、永久磁石の外周面の周方向の端部近傍を覆う端部被覆部をロータコアの外周部に設け、端部被覆部の内周面と永久磁石の外周面との間に空隙を設ける。これにより、永久磁石の外周面の周方向の端部近傍がロータコアと密着した状態でロータコアにより覆われている場合と異なり、永久磁石の外周面の周方向の端部近傍とロータコアとの接触面積を小さくすることができる。その結果、永久磁石の外周面の周方向の端部近傍が電機子反作用による反磁界の影響を受けて不可逆減磁が発生するのを抑制することができる。
【図面の簡単な説明】
【０００９】
【図１】本発明の一実施形態による電動機のロータおよびステータを軸方向から見た図である。
【図２】図１の２００−２００線に沿った断面図である。
【図３】本発明の一実施形態による電動機のロータの軸方向と直交する方向に沿った断面図である。
【図４】本発明の一実施形態による電動機の永久磁石の着磁方向を説明するための拡大断面図である。
【図５】本発明の一実施形態による電動機の複数のコア部と複数の永久磁石との配置関係を示した斜視図である。
【図６】本発明の一実施形態の第１変形例によるコア部および永久磁石を示した拡大断面図である。
【図７】本発明の一実施形態の第２変形例によるコア部および永久磁石を示した拡大断面図である。
【図８】本発明の一実施形態の第３変形例によるコア部および永久磁石を示した拡大断面図である。
【発明を実施するための形態】
【００１０】
以下、本発明の実施形態を図面に基づいて説明する。
【００１１】
まず、図１〜図５を参照して、本発明の一実施形態による電動機１００の構成について説明する。
【００１２】
図１および図２に示すように、電動機１００は、固定部であるステータ１と、回転部であるロータ２とを備えている。なお、電動機１００は、本発明の「回転電機」の一例である。
【００１３】
図１に示すように、ステータ１は、ステータティース１１と、巻線１２と、ステータヨーク１３とにより構成されている。ステータティース１１は、ロータ２の後述するロータコア２２の外周部に対向するように所定の空間（ギャップ３）を隔てて配置されている。また、ステータティース１１の内側には、複数（本実施形態では、１２個）のスロット１４が形成されている。なお、ステータティース１１は、本発明の「ステータコア」の一例である。
【００１４】
複数のスロット１４は、ロータ２の回転方向（以下、周方向と呼ぶ）に沿って略等角度間隔（本実施形態では、約３０°間隔）で配置されている。巻線１２は、複数のスロット１４の各々の内部に収納されている。ステータヨーク１３は、ステータティース１１の外周部を取り囲むように設けられている。
【００１５】
図１〜図３に示すように、ロータ２は、シャフト２１と、ロータコア２２と、複数の永久磁石２３ａおよび２３ｂと、プレート２４とにより構成されている。シャフト２１は、ロータ２の中心を貫通してＸ方向（図２参照）（以下、軸方向と呼ぶ）に延びるように設けられている。ロータコア２２は、シャフト２１を取り囲むように設けられている。また、ロータコア２２は、軸方向に積層された複数の電磁鋼板（図２参照）により形成されている。なお、シャフト２１は、本発明の「回転軸部」の一例である。
【００１６】
ここで、本実施形態では、図３〜図５に示すように、ロータコア２２は、ロータ２のＮ極として機能する複数（本実施形態では、５つ）のコア部２２ａと、ロータ２のＳ極として機能する複数（本実施形態では、５つ）のコア部２２ｂとにより構成されている。これら複数のコア部２２ａおよび２２ｂは、図３に示すように、周方向に沿って略等角度間隔（本実施形態では、略３６°間隔）で１つずつ交互に配置されている。また、複数のコア部２２ａおよび２２ｂの各々の外周部近傍の周方向の中央部には、後述するバー５０が挿入されるバー挿入穴２２ｃが形成されている。
【００１７】
また、本実施形態では、図３〜図５に示すように、複数のコア部２２ａ（２２ｂ）の各々の外周部の周方向の両端部には、周方向に突出する端部被覆部２２ｄが設けられている。端部被覆部２２ｄは、コア部２２ａ（２２ｂ）と隣接する永久磁石２３ａ（２３ｂ）の外周面の周方向の端部近傍（コア部２２ａ（２２ｂ）側の端部近傍）を後述する接着剤層４０（図３および図４参照）を介して覆うように形成されている。また、端部被覆部２２ｄは、コア部２２ａ（２２ｂ）の外周に沿って周方向に延びるように形成されている。
【００１８】
図３〜図５に示すように、永久磁石２３ａおよび２３ｂは、コア部２２ａおよび２２ｂの間に、コア部２２ａおよび２２ｂを介さずに周方向に隣接するように設けられている。また、図１〜図５に示すように、永久磁石２３ａおよび２３ｂは、ロータコア２２の内周部側から外周部側まで半径方向に延びるように形成されている。なお、図３および図４に示すように、永久磁石２３ａおよび２３ｂの内周面の一部は、シャフト２１の外周面に接するように配置されている。
【００１９】
ここで、本実施形態では、図３〜図５に示すように、永久磁石２３ａおよび２３ｂの外周面は、コア部２２ａおよび２２ｂの端部被覆部２２ｄの内周面と接しないように、端部被覆部２２ｄの内周面よりも半径方向の内側に離間した位置に配置されている。すなわち、永久磁石２３ａおよび２３ｂの外周面と、端部被覆部２２ｄの内周面とは、端部被覆部２２ｄの周方向の全長に渡って離間している。これにより、永久磁石２３ａの外周面のコア部２２ａ側の端部近傍と、コア部２２ａの端部被覆部２２ｄの内周面との間には、空隙３０が設けられている。同様に、永久磁石２３ｂの外周面のコア部２２ｂ側の端部近傍と、コア部２２ｂの端部被覆部２２ｄの内周面との間にも、空隙３０が設けられている。
【００２０】
図３および図４に示すように、空隙３０は、永久磁石２３ａ（２３ｂ）の外周面のコア部２２ａ（２２ｂ）側の端部近傍と、コア部２２ａ（２２ｂ）の端部被覆部２２ｄの内周面とが端部被覆部２２ｄの周方向の全長に渡って離間することにより形成されている。なお、この空隙３０の半径方向の長さｌ（図４参照）は、約０．５ｍｍ以上で、かつ、永久磁石２３ａ（２３ｂ）の内周面から端部被覆部２２ｄの内周面までの半径方向の長さＬ（図４参照）の約１０分の１以下の長さに設定するのが好ましい。また、図５に示すように、空隙３０は、永久磁石２３ａ（２３ｂ）の外周面のコア部２２ａ（２２ｂ）側の端部近傍と、コア部２２ａ（２２ｂ）の端部被覆部２２ｄの内周面とがコア部２２ａ（２２ｂ）の軸方向の全長に渡って離間することにより形成されている。
【００２１】
また、図２〜図４に示すように、空隙３０の内部には、非磁性材料である接着剤からなる接着剤層４０が充填されている。これにより、図３および図４に示すように、永久磁石２３ａ（２３ｂ）の外周面のコア部２２ａ（２２ｂ）側の端部近傍は、接着剤層４０により覆われている。また、図３〜図５に示すように、永久磁石２３ａ（２３ｂ）の外周面の接着剤層４０に覆われていない部分（端部被覆部２２ｄに覆われていない部分）は、ステータ１（図１参照）側に露出されている。なお、図５は、ロータコア２２を構成する複数のコア部２２ａ（２２ｂ）と、ロータコア２２の内部に設けられる複数の永久磁石２３ａ（２３ｂ）とを示した斜視図であるが、説明の便宜上、接着剤層４０を図示していない。
【００２２】
また、本実施形態では、図２〜図４に示すように、空隙３０の内部と同様に、ロータコア２２の内周面（コア部２２ａ（２２ｂ）および永久磁石２３ａ（２３ｂ）の内周面）とシャフト２１の外周面との間に形成される空間の内部にも、接着剤からなる接着剤層４１が充填されている。なお、図２〜図４には図示していないが、周方向に隣接する永久磁石２３ａ（２２ｂ）とコア部２２ａ（２２ｂ）との間の隙間や、周方向に隣接する永久磁石２３ａと永久磁石２３ｂとの間の隙間などにも、接着剤層が充填されている。
【００２３】
図３および図４に示すように、永久磁石２３ａおよび２３ｂは、周方向の幅がロータコア２２（コア部２２ａおよび２２ｂ）の内周部から外周部に向かうにしたがって徐々に大きくなる矩形形状の断面を有するように形成されている。また、図４に示すように、永久磁石２３ａ（２３ｂ）は、永久磁石２３ａ（２３ｂ）のロータコア２２の外周部側の端部のうちのコア部２２ａ（２２ｂ）に隣接する角部と、永久磁石２３ａ（２３ｂ）のロータコア２２の内周部側の端部のうちの永久磁石２３ｂ（２３ａ）に隣接する角部とが直角になるように形成されている。
【００２４】
また、図４に示すように、永久磁石２３ａおよび２３ｂは、電動機１００のｑ軸（主磁束に沿った方向の軸（ｄ軸）と電気的に直交する方向の軸）と直交する方向（矢印Ａ方向）に対して所定の角度θだけ傾いた方向に着磁されている。具体的には、コア部２１ａに隣接する永久磁石２３ａは、ｑ軸と直交する方向（矢印Ａ方向）に対して所定の角度θだけ外周側に傾いた方向に着磁されている一方、コア部２１ｂに隣接する永久磁石２３ｂは、ｑ軸と直交する方向（矢印Ａ方向）に対して所定の角度θだけ内周側に傾いた方向に着磁されている。すなわち、コア部２２ａおよびコア部２２ｂの間で周方向に隣接する永久磁石２３ａおよび永久磁石２３ｂの着磁方向は、ｑ軸に対して略線対称になっている。
【００２５】
なお、図１および図４に示すように、本実施形態による電動機１００のｑ軸は、周方向に隣接する永久磁石２３ａと永久磁石２３ｂとが接している線に一致する。また、本実施形態による電動機１００のｑ軸は、図４に示すコア部２２ａを基準磁極とした場合、ロータ２の回転中心Ｏ（図１参照）と、基準磁極と周方向に隣接する磁極（図４に示すコア部２２ｂ）との磁気的な境界とを結ぶ直線（磁極境界線）に一致する。
【００２６】
本実施形態では、上記永久磁石２３ａ（２３ｂ）の着磁方向の傾き角度θは、０°＜θ≦４５°の範囲に設定されている。これにより、永久磁石２３ａ（２３ｂ）をｑ軸と直交する方向（矢印Ａ方向（図４参照））に着磁する場合に比べて、永久磁石２３ａ（２３ｂ）の着磁方向に沿った方向の厚みを大きくすることが可能になるので、永久磁石２３ａ（２３ｂ）の動作点を高くすることが可能になる。なお、この角度θは、電動機１００の磁極数（コア部２２ａおよび２２ｂの個数（本実施形態では、１０個））を変更する場合でも、一定の範囲（０°＜θ≦４５°）に設定するのが好ましい。
【００２７】
なお、図２に示すように、永久磁石２３ａは、ロータコア２２および永久磁石２３ａ（２３ｂ）を軸方向の両側から挟み込む２つのプレート２４の間に配置されているとともに、軸方向に延びるように形成されている。また、図５に示すように、永久磁石２３ｂも、永久磁石２３ａと同様に軸方向に延びるように形成されている。図２および図５に示すように、永久磁石２３ａおよび２３ｂの軸方向の長さは、ロータコア２２の軸方向の長さと略等しくなるように形成されている。
【００２８】
図１および図２に示すように、プレート２４は、軸方向から見て略円環形状を有する板状に形成されている。このプレート２４は、ステンレスや樹脂などの非磁性材料により形成されている。なお、図１に示すように、プレート２４の直径は、ロータ２の外径よりも小さくなるように形成されている。また、図２に示すように、プレート２４は、ロータコア２２および永久磁石２３ａ（２３ｂ）の軸方向の両端面を露出させずに覆うように形成されている。
【００２９】
また、図１に示すように、プレート２４の内周部（中央部近傍）には、開口からなるシャフト挿入部２４ａが設けられている。このシャフト挿入部２４ａには、歯車状の係合部２４ｂが形成されている。ここで、シャフト２１の外周面のロータコア２２から軸方向にはみ出した部分（図２参照）には、プレート２４の係合部２４ｂに対応する歯車状（図１参照）の係合部２１ａが形成されている。本実施形態では、プレート２４の歯車状の係合部２４ｂと、シャフト２１の歯車状の係合部２１ａとが係合（噛合）することにより、プレート２４とシャフト２１とが固定されている。なお、係合部２１ａは、本発明の「第１係合部」の一例であるとともに、係合部２４ｂは、本発明の「第２係合部」の一例である。
【００３０】
また、プレート２４の外周部近傍には、コア部２２ａ（２２ｂ）のバー挿入穴２２ｃに対応するようにバー挿入穴２４ｃが複数（本実施形態では、１０個）設けられている。これら複数のバー挿入穴２４ｃは、プレート２４の外周部近傍において周方向に沿って略等角度間隔（本実施形態では、約３６°間隔）で設けられている。図２に示すように、このプレート２４のバー挿入穴２４ｃと、コア部２２ａ（２２ｂ）のバー挿入穴２２ｃとの内部には、軸方向に延びる円柱状のバー５０が挿入されている。
【００３１】
次に、図１〜図５を参照して、本発明の一実施形態による電動機１００のロータ２の組み立て手順について説明する。
【００３２】
まず、図３〜図５に示すように、複数のコア部２２ａと、複数のコア部２２ｂとを１つずつ交互に周状に配置することにより、シャフト２１の外周面上でロータコア２２を構成し、ロータコア２２の内部に、半径方向に延びるとともに軸方向に延びる複数の永久磁石２３ａおよび２３ｂを取り付ける。具体的には、図３および図４に示すように、コア部２２ａ（２２ｂ）の端部被覆部２２ｄの内周面と永久磁石２３ａ（２３ｂ）の外周面とが端部被覆部２２ｄの周方向の全長に渡って離間するとともに、永久磁石２３ａおよび２３ｂの内周面がシャフト２１の外周面に接するように、ロータコア２２の内部に永久磁石２３ａおよび２３ｂを取り付ける。そして、永久磁石２３ａ（２３ｂ）の外周面のコア部２２ａ（２２ｂ）側の端部近傍と、コア部２２ａ（２２ｂ）の端部被覆部２２ｄの内周面との間に形成される空隙３０の内部に、接着剤層４０を充填する。また、ロータコア２２の内周面（コア部２２ａ（２２ｂ）および永久磁石２３ａ（２３ｂ）の内周面）と、シャフト２１の外周面との間に形成される空間の内部にも、接着剤層４１を充填する。なお、このとき、周方向に隣接する永久磁石２３ａ（２２ｂ）とコア部２２ａ（２２ｂ）との間の隙間や、周方向に隣接する永久磁石２３ａと永久磁石２３ｂとの間の隙間などにも、接着剤層（図示せず）を充填する。
【００３３】
次に、図２に示すように、上記のようにロータコア２２と永久磁石２３ａ（２３ｂ）とを取り付けたシャフト２１に対して、円板状のプレート２４を軸方向の両側から取り付ける。具体的には、まず、プレート２４の内周部のシャフト挿入部２４ａにシャフト２１を挿入する。そして、図１に示すように、シャフト２１の外周部に設けられた歯車状の係合部２１ａと、プレート２４のシャフト挿入部２４ａに設けられた歯車状の係合部２４ｂとを係合させることにより、シャフト２１とプレート２４とを固定する。なお、このとき、プレート２４のバー挿入穴２４ｃと、コア部２２ａ（２２ｂ）のバー挿入穴２２ｃとの位置を合わせる。
【００３４】
最後に、図２に示すように、上記のように位置を合わせたプレート２４のバー挿入穴２４ｃと、コア部２２ａ（２２ｂ）のバー挿入穴２２ｃとに対して、バー５０を軸方向に挿入し、プレート２４とコア部２２ａ（２２ｂ）とを固定する。このようにして、本発明の一実施形態による電動機１００のロータ２の組み立てが行われる。
【００３５】
本実施形態では、上記のように、永久磁石２３ａ（２３ｂ）の外周面の周方向の端部近傍（コア部２２ａ（２２ｂ）側の端部近傍）を覆う端部被覆部２２ｄをロータコア２２（コア部２２ａ（２２ｂ））の外周部に設け、端部被覆部２２ｄの内周面と永久磁石２３ａ（２３ｂ）の外周面との間に空隙３０を設ける。これにより、永久磁石２３ａ（２３ｂ）の外周面の周方向の端部近傍がロータコア２２と密着した状態でロータコア２２により覆われている場合と異なり、永久磁石２３ａ（２３ｂ）の外周面の周方向の端部近傍とロータコア２２との接触面積を小さくすることができる。その結果、永久磁石２３ａ（２３ｂ）の外周面の周方向の端部近傍が電機子反作用による反磁界の影響を受けて不可逆減磁が発生するのを抑制することができる。
【００３６】
また、本実施形態では、上記のように、永久磁石２３ａおよび２３ｂを、周方向の幅がロータコア２２の内周部側から外周部側に向かうにしたがって徐々に大きくなるように形成する。これにより、ロータコア２２の外周部側の永久磁石２３ａおよび２３ｂの端部の周方向の幅が大きくなる分、ロータコア２２の外周部側の永久磁石２３ａおよび２３ｂの端部の着磁方向（電動機１００のｑ軸と交差する方向）に沿った方向の厚みが大きくなるので、永久磁石２３ａおよび２３ｂの動作点を高くすることができる。その結果、電動機１００の出力を高めることができるとともに、電機子反作用による反磁界の影響を受けやすいロータコア２２の外周部側の永久磁石２３ａおよび２３ｂの端部の不可逆減磁を抑制することができる。また、ロータコア２２の内周部側の永久磁石２３ａおよび２３ｂの端部の周方向の幅が小さくなる分、ロータコア２２の内周部に接する永久磁石２３ａおよび２３ｂの表面積が増加するので、電動機１００の出力をさらに高めることができる。
【００３７】
また、本実施形態では、上記のように、永久磁石２３ａおよび２３ｂを、周方向の幅がロータコア２２の内周部から外周部に向かうにしたがって徐々に大きくなる矩形形状の断面を有するように形成する。これにより、永久磁石２３ａおよび２３ｂを矩形形状以外の形状（たとえば、周方向の幅がロータコア２２の内周部から外周部に向かうにしたがって徐々に大きくなる扇形形状）の断面を有するように形成する場合に比べて、周方向の幅がロータコア２２の内周部から外周部に向かうにしたがって徐々に大きくなる永久磁石２３ａおよび２３ｂを容易に製造することができる。
【００３８】
また、本実施形態では、上記のように、端部被覆部２２ｄを周方向に延びるように形成し、端部被覆部２２ｄの内周面と永久磁石２３ａ（２３ｂ）の外周面とを端部被覆部２２ｄの周方向の全長に渡って離間させることにより、空隙３０を構成する。これにより、永久磁石２３ａ（２３ｂ）の外周面の周方向の端部近傍とロータコア２２との接触面積をより小さくすることができるので、永久磁石２３ａ（２３ｂ）の外周面の周方向の端部近傍が電機子反作用による反磁界の影響を受けて不可逆減磁が発生するのをより抑制することができる。
【００３９】
また、本実施形態では、上記のように、空隙３０の内部に非磁性材料（接着剤層４０）を充填する。これにより、永久磁石２３ａ（２３ｂ）からの漏れ磁束を低減しながら、ロータ２が回転する際の遠心力によって永久磁石２３ａ（２３ｂ）が半径方向にずれるのを抑制することができる。また、非磁性材料として接着剤層４０を用いることにより、永久磁石２３ａ（２３ｂ）をロータコア２２の内部に接着することができるので、ロータ２が回転する際の遠心力によって永久磁石２３ａ（２３ｂ）が半径方向にずれるのをより抑制することができる。
【００４０】
また、本実施形態では、上記のように、永久磁石２３ａおよび２３ｂを、ｑ軸と直交する方向に対して所定の角度θだけ傾いた方向に着磁する。これにより、永久磁石２３ａおよび２３ｂをｑ軸と直交する方向（矢印Ａ方向（図４参照））に着磁する場合に比べて、永久磁石２３ａおよび２３ｂの着磁方向に沿った方向の厚みをより大きくすることができるので、永久磁石２３ａおよび２３ｂの動作点をより高くすることができる。その結果、電動機１００の出力をより高めることができるとともに、永久磁石２３ａおよび２３ｂの不可逆減磁をより抑制することができる。また、永久磁石２３ａおよび２３ｂの着磁方向をｑ軸と直交する方向（矢印Ａ方向）に対して傾けることにより、ロータコア２２が回転する際におけるロータコア２２とステータティース１１との間のギャップ３を流れる磁束の変化を滑らかにすることができる。その結果、電動機１００のコギングトルクを低減することができる。
【００４１】
また、本実施形態では、上記のように、永久磁石２３ａおよび２３ｂの着磁方向の傾き角度θを、０°＜θ≦４５°の範囲に設定する。この角度範囲に角度θを設定することにより、容易に、永久磁石２３ａおよび２３ｂの着磁方向に沿った方向の厚みを大きくすることができるとともに、ロータコア２２が回転する際におけるロータコア２２とステータティース１１との間のギャップ３を流れる磁束の変化を滑らかにすることができる。
【００４２】
また、本実施形態では、上記のように、周方向に間隔を隔てて配置される複数のコア部２２ａおよび２２ｂを含むようにロータコア２２を構成し、複数のコア部２２ａおよび２２ｂのうちの隣接するコア部２２ａおよび２２ｂの間に、永久磁石２３ａおよび２３ｂの内周面がシャフト２１の外周面に接するように永久磁石２３ａおよび２３ｂを配置する。これにより、ロータコア２２が周方向に間隔を隔てて配置された複数のコア部２２ａおよび２２ｂに完全に別個に分離されるので、ロータコア２２が外周部または内周部において連続するように形成されている場合と異なり、永久磁石２３ａおよび２３ｂから発生する磁束の一部がステータティース１１側に流れずにロータコア２２の外周部または内周部の連続する部分を介して循環するのを抑制することができる。その結果、漏れ磁束を低減することができるので、電動機１００の出力をより高めることができる。
【００４３】
また、本実施形態では、上記のように、永久磁石２３ａおよび２３ｂの内周面がシャフト２１の外周面に接するとともに、永久磁石２３ａおよび２３ｂの外周面の端部被覆部２２ｄに覆われていない部分（接着剤層４０に覆われていない部分）が露出するように、永久磁石２３ａおよび２３ｂを隣接するコア部２２ａおよび２２ｂの間に配置する。これにより、端部被覆部２２ｄによって、ロータコア２２（コア部２２ａおよび２２ｂ）が回転する際の遠心力によって永久磁石２３ａおよび２３ｂが外周側に外れるのを抑制することができる。
【００４４】
また、永久磁石２３ａ（２３ｂ）の外周面のコア部２２ａ（２２ｂ）側の部分を端部被覆部２２ｄにより覆うことによって、ロータコア２２の外周面上のステータティース１１側に流れる磁束が通過する領域の面積を大きくすることができるので、ロータコア２２（コア部２２ａおよび２２ｂ）が回転する際におけるロータコア２２（コア部２２ａおよび２２ｂ）とステータティース１１との間のギャップ３を流れる磁束の変化をより滑らかにすることができる。これにより、電動機１００のコギングトルクをより低減することができる。また、永久磁石２３ａおよび２３ｂの外周面の端部被覆部２２ｄに覆われていない部分を露出させることによって、永久磁石２３ａおよび２３ｂの外周面の端部被覆部２２ｄに覆われていない部分を磁性体などにより覆う場合に比べて、漏れ磁束をより低減することができる。その結果、電動機１００の出力をより高めることができる。
【００４５】
また、本実施形態では、上記のように、コア部２２ａおよび２２ｂを介さずに周方向に隣接するように、２つの永久磁石２３ａおよび２３ｂを隣接する２つのコア部２２ａおよび２２ｂの間に配置する。これにより、永久磁石２３ａおよび２３ｂをコア部２２ａまたは２２ｂを介して隣接させる場合と異なり、永久磁石２３ａと永久磁石２３ｂとで構成される磁気回路における空隙の総距離を小さくすることができるので、永久磁石２３ａおよび２３ｂの動作点を高くすることができる。その結果、電動機１００の出力をより高めることができるとともに、永久磁石２３ａおよび２３ｂの不可逆減磁をより抑制することができる。
【００４６】
また、本実施形態では、上記のように、ロータコア２２を軸方向に積層した複数の電磁鋼板により構成し、ロータコア２２の内周部に取り付けるシャフト２１と、ロータコア２２の軸方向の端面を覆うように取り付けるプレート２４とを設ける。そして、シャフト２１の外周部に係合部２１ａを形成するとともに、シャフト２１の係合部２１ａと係合する係合部２４ｂをプレート２４の内周部に形成する。これにより、シャフト２１の係合部２１ａとプレート２４の係合部２４ｂとを係合させることによって、プレート２４とシャフト２１とを強固に固定することができる。
【００４７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４８】
たとえば、上記実施形態では、永久磁石の外周面側（永久磁石の外周面と端部被覆部の内周面との間）にのみ空隙を設ける例を示したが、本発明はこれに限らない。本発明では、永久磁石の外周面側と、永久磁石の内周面側（永久磁石の内周面と回転軸部の外周面との間）との両方に空隙を設けてもよい。
【００４９】
また、上記実施形態では、周方向の幅がロータコアの内周部側から外周部側に向かうにしたがって徐々に大きくなる矩形形状の断面を有するように永久磁石を形成する例を示したが、本発明はこれに限らない。本発明では、周方向の幅がロータコアの内周部から外周部に向かうにしたがって徐々に大きくなる扇形形状の断面を有するように永久磁石を形成してもよい。また、本発明では、周方向の幅がロータコアの内周部側と外周部側とで等しい長方形形状の断面を有するように永久磁石を形成してもよい。
【００５０】
また、上記実施形態では、図３および図４に示すように、端部被覆部２２ｄの内周面と永久磁石２３ａ（２３ｂ）の外周面とを端部被覆部２２ｄの周方向の全長に渡って離間させることにより空隙３０を構成する例を示したが、本発明はこれに限らない。本発明では、図６に示す第１変形例のように、端部被覆部１２２ｄの内周面と永久磁石２３ａ（２３ｂ）の外周面とを端部被覆部１２２ｄの周方向の全長に渡って離間させなくてもよい。
【００５１】
この第１変形例では、図６に示すように、ロータコア１２２を構成するコア部１２２ａ（１２２ｂ）の端部被覆部１２２ｄの内周面は、永久磁石２３ａ（２３ｂ）の外周面と接触（当接）する部分（頂点部１２２ｅ）を有するように凹凸形状に形成されている。また、凹凸形状に形成された端部被覆部１２２ｄの内周面の頂部１２２ｅ以外の部分（側面部１２２ｆ）と、永久磁石２３ａ（２３ｂ）の外周面との間に形成される空間（空隙３１）の内部には、非磁性材料である接着剤からなる接着剤層４２が充填されている。
【００５２】
第１変形例では、端部被覆部１２２ｄの内周面の頂点部１２２ｅと永久磁石２３ａ（２３ｂ）の外周面とを接触（当接）させることによって、接着剤層４２のみならず、その当接した部分によっても、永久磁石２３ａ（２３ｂ）を半径方向に固定することができるので、永久磁石２３ａ（２３ｂ）が半径方向にずれるのをより抑制することができる。また、端部被覆部１２２ｄの内周面の側面部１２２ｆと永久磁石２３ａ（２３ｂ）の外周面との間に空隙３１を設けることによって、永久磁石２３ａ（２３ｂ）の外周面の周方向の端部近傍の不可逆減磁を抑制することができる。これらの結果、永久磁石２３ａ（２３ｂ）が半径方向にずれるのを抑制しながら、永久磁石２３ａ（２３ｂ）の外周面の周方向の端部近傍の不可逆減磁を抑制することができる。
【００５３】
また、上記実施形態では、図３および図４に示すように、永久磁石２３ａ（２３ｂ）の外周面のコア部２２ａ（２２ｂ）側の端部近傍のみを非磁性材料である接着剤層４０により覆う例を示したが、本発明はこれに限らない。本発明では、永久磁石２３ａ（２３ｂ）の外周面の全面を接着剤層４０により覆ってもよい。また、本発明では、図７に示す第２変形例のように、永久磁石２３ａ（２３ｂ）の外周面の全面を板状のスペーサ部材４３により覆ってもよい。
【００５４】
この第２変形例では、図７に示すように、板状のスペーサ部材４３の内周面は、永久磁石２３ａ（２３ｂ）の外周面の全面を覆うように配置されている。また、スペーサ部材４３の周方向の両端部は、コア部２２ａ（２２ｂ）の端部被覆部２２ｄの内周面と永久磁石２３ａおよび２３ｂの外周面のコア部２２ａ（２２ｂ）側の端部近傍との間の空隙３０の内部に嵌め込まれている。なお、スペーサ部材４３は、非磁性材料である樹脂からなる。
【００５５】
第２変形例では、永久磁石２３ａ（２３ｂ）の外周面の全面を覆う板状のスペーサ部材４３を空隙３０の内部に設けることによって、永久磁石２３ａ（２３ｂ）の外周面の端部被覆部２２ｄに覆われている部分のみならず、端部被覆部２２ｄに覆われていない部分をもスペーサ部材４３により覆うことができるので、永久磁石２３ａ（２３ｂ）が半径方向にずれるのをより効果的に抑制することができる。
【００５６】
また、上記実施形態では、図３および図４に示すように、半径方向に延びる矩形形状の断面を有する永久磁石２３ａ（２３ｂ）の外周面を端部被覆部２２ｄの内周面よりも半径方向の内側に離間した位置に配置することによって空隙３０を構成する例を示したが、本発明はこれに限らない。本発明では、図８に示す第３変形例のように、ロータコア２２の外周部側の端部のうちのコア部２２ａ（２２ｂ）側の角部が面取りされた永久磁石１２３ａ（１２３ｂ）をコア部２２ａとコア部２２ｂとの間に配置することによって空隙３２を構成してもよい。この第３変形例では、図８に示すように、永久磁石１２３ａ（１２３ｂ）の面取り部分１２３ｃの外周面と端部被覆部２２ｄの内周面との間に形成される空間（空隙３２）の内部に、非磁性材料である接着剤からなる接着剤層４４が充填されている。
【００５７】
また、上記実施形態では、永久磁石を電動機（回転電機）のｑ軸と直交する方向に対して傾いた方向に着磁する例を示したが、本発明はこれに限らない。本発明では、永久磁石を回転電機のｑ軸と直交する方向に着磁してもよい。
【００５８】
また、上記実施形態では、ロータコアを複数のコア部により構成する例を示したが、本発明はこれに限らない。本発明では、複数のコア部の内周部を連結することによって、ロータコアを一部品として構成してもよい。
【００５９】
また、上記実施形態では、複数のコア部のうちの隣接する２つのコア部の間に、周方向の幅がロータコアの内周部から外周部に向かうにしたがって徐々に大きくなる２つの永久磁石を配置する例を示したが、本発明はこれに限らない。本発明では、隣接する２つのコア部の間に配置する永久磁石を１つとしてもよいし、３つ以上としてもよい。
【００６０】
また、上記実施形態では、シャフト２１（回転軸部）の外周部の係合部２１ａ（第１係合部）と、プレート２４の内周部の係合部２４ｂ（第２係合部）とを歯車状に形成する例を示したが、本発明はこれに限らない。本発明では、第１係合部と第２係合部とを歯車状以外の形状に形成してもよい。
【符号の説明】
【００６１】
１１  ステータティース（ステータコア）
２１  シャフト（回転軸部）
２１ａ  係合部（第１係合部）
２２、１２２  ロータコア
２２ａ、２２ｂ、１２２ａ、１２２ｂ  コア部
２２ｄ、１２２ｄ  端部被覆部
２３ａ、２３ｂ、１２３ａ、１２３ｂ  永久磁石
２４  プレート
２４ｂ  係合部（第２係合部）
３０、３１、３２  空隙
４０、４２、４４  接着剤層（非磁性材料）
４３  スペーサ部材（非磁性材料）
１００  電動機（回転電機）
【図１】
0005429241.tif 000002
【図２】
0005429241.tif 000003
【図３】
0005429241.tif 000004
【図４】
0005429241.tif 000005
【図５】
0005429241.tif 000006
【図６】
0005429241.tif 000007
【図７】
0005429241.tif 000008
【図８】
0005429241.tif 000009